(57)【要約】【課題】十分な病害虫効果を発揮することができるとともに、果実の残留農薬を極めて少なくすることができる果実袋１を提供する。【解決手段】果実袋１は、所定の果実袋原紙１２を封筒状に製袋して形成され、開口する上縁４から果実２０を挿入するとともに、当該上縁４から所定距離をあけて下方を前記果実２０の果梗２１に集縛する果実袋１において、少なくとも前記果梗２１に集縛する部分を含む上部に帯状に形成され、害虫防除剤を含浸した上部領域９と、前記上部領域９の下方に形成され、前記果実２０を包み込むとともに前記害虫防除剤を含浸しない果実包装領域１０と、を備える。【選択図】図３
2010029085.tif 000002
【特許請求の範囲】
【請求項１】
所定の原紙を封筒状に製袋して形成され、開口する上縁から果実を挿入するとともに、当該上縁から所定距離をあけて下方を前記果実の果梗に集縛する果実袋において、
少なくとも前記果梗に集縛する部分を含む上部に帯状に害虫防除剤を含浸した上部領域と、
前記上部領域の下方に形成され、前記果実を包み込むとともに前記害虫防除剤を含浸しない果実包装領域と、
を備えることを特徴とする果実袋。
【請求項２】
前記果実包装領域よりも下方の袋底に沿って帯状に害虫防除剤を含浸し、且つ袋内の水分を袋外に放出する水抜き穴が設けられた下縁領域を更に備えることを特徴とする請求項１に記載の果実袋。
【発明の詳細な説明】
【技術分野】
【０００１】
本発明は、果実袋に関し、特に、安全に高い防害虫効果を発揮する果実袋に関するものである。
【背景技術】
【０００２】
従来より、梨等の果実を生産する際には、病害虫等の防除、果実表面の保護、果実の成育の促進等の目的で、栽培途中の果実に紙等でできた果実袋を被袋させる栽培法が知られている。しかし、例えばシンクイムシやカイガラムシ等の病害虫の防除には、果実袋を被袋させただけでは十分な効果を発揮できないので、果実栽培に際しては、病害虫の防除に効果のある農薬の散布も併せて行われていた。
【０００３】
しかし、農薬の散布は、病害虫の発生時期や気象条件に合わせて適切に行う必要があり、その判断は困難なものである。また、農薬の散布は、飛散した農薬が周辺住民の健康を害する被害や周辺で栽培される他の農産物に付着する被害等、周辺環境に影響を及ぼす所謂ドリフト被害を引き起こす可能性もある。
【０００４】
そこで、病害虫の発生時期や気象条件に関係なく病害虫の防除が可能であり、農薬の飛散も起こらない方法として、防虫効果のある農薬を果実袋に含浸させる方法が挙げられる（例えば特許文献１）。この方法によると、病害虫の防除に効果のある農薬を果実袋全体に含浸させるので、病害虫が袋内の果実と接触することはできず病害虫被害を大きく減少させることができる。
【特許文献１】特開２００８−５８２８号公報
【発明の開示】
【発明が解決しようとする課題】
【０００５】
ところで、上述のように農薬を含浸させた果実袋を果実に被袋すると、果実にある程度の農薬が付着することが避けられず、残留農薬基準値以下ではあるものの、一部の農薬が果実に残留することとなる。残留農薬は、消費者にとって大きな関心事であるので、よりいっそう残留農薬を少なくすることが求められている。
【０００６】
そこで本発明は、十分な病害虫効果を発揮することができるとともに、果実の残留農薬を極めて少なくすることができる果実袋を提供することを目的とする。
【課題を解決するための手段】
【０００７】
上記目的を達成するための請求項１の発明の果実袋は、所定の原紙を封筒状に製袋して形成され、開口する上縁から果実を挿入するとともに、当該上縁から所定距離をあけて下方を前記果実の果梗に集縛する果実袋において、少なくとも前記果梗に集縛する部分を含む上部に帯状に害虫防除剤を含浸した上部領域と、前記上部領域の下方に形成され、前記果実を包み込むとともに前記害虫防除剤を含浸しない果実包装領域と、を備えることを特徴とするものである。
【０００８】
請求項２の発明の果実袋は、請求項１記載の果実袋において、前記果実包装領域よりも下方の袋底に沿って帯状に害虫防除剤を含浸し、且つ袋内の水分を袋外に放出する水抜き穴が設けられた下縁領域を更に備えることを特徴とするものである。
【発明の効果】
【０００９】
請求項１に係る果実袋によると、少なくとも果実袋を果梗に集縛する部分を含む上部に帯状に形成された上部領域に害虫防除剤を含浸しており、この上部領域の下方に形成され果実を包み込む果実包装領域には害虫防除剤を含浸していない。病害虫は、果梗をつたって果実袋の果梗に集縛する部分の隙間から袋内に侵入する場合が殆どである。したがって、この集縛する部分を含む上部領域に害虫防除剤が含浸されることで、上述のような、集縛する部分の隙間から病害虫が袋内に侵入することを防ぐことができ、果実栽培における病害虫被害を効果的に抑制することができる。
【００１０】
しかも、上部領域の下方に形成され果実を包み込む果実包装部には害虫防除剤を含浸していないので、果実に直接害虫防除剤が付着することがない。したがって果実に害虫防除剤が残留することを極めて効果的に抑制することができる。
【００１１】
また、このように果実袋の全体ではなく、一部にのみ害虫防除剤を含浸させることで、害虫防除剤の使用量を少なくすることができる。
【００１２】
請求項２に係る果実袋によると、果実包装部分よりも下方に袋底に沿って帯状に形成され、袋内の水分を袋外に放出する水抜き穴を設けた下縁領域に害虫防除剤を含浸させたので、水抜き穴からの病害虫の果実袋内への侵入を抑止することができる。果実袋において、害虫が侵入可能な部分は、開口する上縁と水抜き穴のみであるので、これらの部分からの病害虫の侵入を防ぐことで、果実袋内に病害虫が侵入することを極めて効果的に防ぐことができる。しかも、この害虫防除剤が含浸された下縁領域は、果実包装部よりも下方に形成されているので、この部分が直接果実に接することもなく、果実に害虫防除剤が付着して残留するといったことを抑止することができる。
【発明を実施するための最良の形態】
【００１３】
以下に、図１から図５を参照しつつ、本発明の果実袋１について説明する。果実袋１は、例えば、白色模造紙、褐色模造紙、赤色模造紙、筋入りクラフト紙、筋無クラフト紙、新聞用原紙などの種々の原紙を封筒状に製袋して形成されるものであって、図１から図３に示すように、外袋２の内部に、上端が外袋２よりもやや下方に位置するように内袋３が収納されている。外袋２は、例えば幅が１５ｃｍ程度で高さが１８ｃｍ程度の封筒形状であり、その上縁４は開口して果実２０を挿入することができるように形成されるとともに、その下端は外袋２の一方の面を他方の面側に折り曲げて接着剤等で貼着することで袋底５を形成している。また、外袋２の袋底５の両隅には雨水の排出や換気ができる水抜き穴６が設けられている。
【００１４】
なお、本実施例においては、外袋２の果実２０を挿入する開口を有する側を上方、外袋２の袋底５が形成される側を下方という。また、上下方向の長さを高さ、左右方向の長さを幅という。
【００１５】
外袋２の上縁４は、一方の面側が他方の面側よりも中央部分が下方に窪んだ形状となっており、この上縁４を開口させる際に拡げ易く、また、果実２０を挿入し易くしている。外袋２の上縁４から３ｃｍ程度下方の所定位置には、この外袋２を果実２０の果梗２１に集縛することができる集縛用針金７が粘着テープ８などによりその長手方向を幅方向に向けて固定されている。
【００１６】
ここで、集縛用針金７は、例えば、幅が狭く、長い帯状のポリエステルなどの樹脂材を２枚重ねた間に鉄製の針金を挟み、上記２枚のポリエステルを接合したものが用いられる。これにより、単に針金を用いる場合に比べて指に突き刺さる虞が軽減されるので、安全に果実袋１の集縛作業を行うことができる。また、上記のように帯状とすることで、集縛用針金７を粘着テープ８で果実袋１により確実に固定することができる。なお、集縛する手段として上述のような集縛用針金７が好適に用いられるが、例えば紐などの締結手段であってもよく、果実袋１を果梗２１の周囲に締め付けて固定することができるあらゆる手段を適用することができる。
【００１７】
一方、内袋３は高さが例えば１４ｃｍで幅が例えば１４．５ｃｍ程度の筒状に形成されている。このように、内袋３は外袋２よりもやや小さい形状であるので、外袋２の内部に収納することができる。内袋３は外袋２の袋底５に内袋３の底がほぼ重なるように収納され、内袋３上縁付近および底付近の糊付け部で、内袋３の外側と外袋２の内側とを接着剤等によって貼着される。
【００１８】
以上のように構成される果実袋１の外袋２の上縁４から４ｃｍ程度下方位置までは、帯状に害虫防除剤が含浸された上部領域９が形成されており、また外袋２の袋底５から１ｃｍ程度上方位置までにも、帯状に害虫防除剤が含浸された下縁領域１０が形成されている。また、これらの上部領域９と下縁領域１０との間には、果実２０を包み込む部分である果実包装領域１１が形成されており、この果実包装領域１１には害虫防除剤は含浸されていない。
【００１９】
果実袋１は、上縁４及び水抜き穴６のみが外部に向かって開いているので、病害虫はこれら上縁４及び水抜き穴６からのみ果実袋１内に侵入することができるが、このように上縁４の下方の果実袋１を果梗２１に集縛する部分を含む上部領域９及び水抜き穴６の近傍である下縁領域１０に害虫防除剤が含浸されることで、病害虫はこれらの部分を通過することができない。したがって、上述のような構成とすることで、果実袋１内に病害虫が侵入することを効果的に抑制することができる。害虫防除剤としては、例えばダイアジノン等の有機リン系薬剤、ペルメトリン等のピレスロイド系薬剤、等の殺虫成分又は病害虫が忌避する成分を有効成分とする農薬取締法の規定により登録された種々の農薬を単独又は複数混合したものを用いることができ、果実袋１を使用する農作物の品種や防除したい病害虫の種類に応じて選択することができる。
【００２０】
上述のような果実袋１を果実２０に被袋するときには、果実袋１の上縁４の下側を指で挟持して幅方向にずらし、果実袋１の上縁４を広げる。そして、この広がった上縁４から果実袋１の内袋３内に果実２０を挿入する。次に、果実２０を果実袋１内に挿入した状態で、果実袋１の上部領域９を果実２０の果梗２１に集め、外袋２に固定されている集縛用針金７を用いて縛る。これにより、果実袋１は果実２０を内部に内包した状態で果梗２１に固定される。
【００２１】
このとき、害虫防除剤を含浸された果実袋１の上部領域９は、果梗２１部分に固定されるので果実２０に触れることはなく、また、果実２０は果梗２１に固定されているので、果実袋１の害虫防除剤を含浸させた部分である下縁領域１０にも、果実２０が触れることはない。したがって、果実２０は害虫防除剤が含浸されていない果実包装領域１１にのみ接触することとなるので、果実２０に害虫防除剤が付着することはなく、害虫防除剤が残留することもない。
【００２２】
以上のような果実袋１を製造するときには、図４に示すように、複数の外袋２を製造できる大きさの果実袋原紙１２の一方の面に、まず、製袋したときに果実袋１の上部領域９となる位置Ａ及び製袋したときに果実袋１の下縁領域１０となる位置Ｂに、例えば水で希釈した害虫防除剤を付着させた刷毛又はローラを用いて、帯状に害虫防除剤を塗布する。なお、このとき害虫防除剤を希釈する溶媒としては、水以外にも、アルコール、有機溶媒、又はニス等の害虫防除剤の有効成分が溶けることができる液体を用いることができる。そして、害虫防除剤を塗布した果実袋原紙１２に例えばパラフィンワックスやエマルジョンワックスなどを用いて撥水加工を行い、その後、図５に示すように、外袋２を展開した形状に切断する。以上のようにして切断された外袋２を、害虫防除剤を塗布した面が外側となるように製袋し、その内部に内袋３を挿入して固定し、上部領域９の所定位置に集縛用針金７を固定して、図１に示すような果実袋１を完成させる。
【００２３】
なお、本実施形態においては、上述のように果実袋原紙１２の一方面に害虫防除剤を刷毛又はローラを用いて塗布又は含浸させたが、本発明の果実袋１はこれに限定されるものではなく、例えば、製袋機を用いて製袋作業を行う際に、害虫防除剤を塗布又は浸漬するものであっても良い。また、本実施形態においては、本発明に係る果実袋１の一例として２重の果実袋１を提示しているが、例えば外袋２のみからなる１重の果実袋１であっても良い。
【００２４】
[農薬残留値の調査]
以下に表１に示す実施例及び表２に示す比較例毎に果実袋１を用いて栽培した果実２０の残留農薬値を調査した。調査には果実２０の一例として二十世紀梨を用い、被袋した期間は６月２０日から８月２５日までの間であり、８月２５日に各実施例及び比較例の二十世紀梨の果実２０を採取し、その残留農薬値を調査した。
【００２５】
実施例１では、内袋３として褐色模造紙を製袋したものを用い、外袋２としてパラフィンワックスを塗布した白模造紙を製袋したものを用い、その果実袋１の上部領域９及び下縁領域１０に、１袋あたり４．０ｍｇのダイアジノン及び３．７ｍｇのペルメトリンを含浸させたものを用いた。また、実施例２では、内袋３としてパラフィンワックスを塗布した白模造紙を製袋したものを用い、外袋２として油加工クラフト紙を製袋した物を用い、その果実袋１の上部領域９及び下縁領域１０に、１袋あたり４．０ｍｇのダイアジノン及び５．８ｍｇのペルメトリンを含浸させたものを用いた。
【００２６】
調査結果は表１に示すとおりである。
【表１】
2010029085.tif 000003
【００２７】
比較例１では、内袋として褐色模造紙を製袋したものを用い、外袋としてパラフィンワックスを塗布した白模造紙を製袋したものを用い、その果実袋の全面に、１袋あたり４．０ｍｇのダイアジノン及び３．５ｍｇのペルメトリンを含浸させたものを用いた。また、比較例２では、内袋としてパラフィンワックスを塗布した白模造紙を製袋したものを用い、外袋として油加工クラフト紙を製袋した物を用い、その果実袋の全面に、１袋あたり４．０ｍｇのダイアジノン及び３．７ｍｇのペルメトリンを含浸させたものを用いた。
【００２８】
調査結果は表２に示すとおりである。
【表２】
2010029085.tif 000004
【００２９】
以上に示すように、実施例１及び実施例２においては、梨の果実２０からダイアジノン及びペルメトリンは検出されなかった。したがって、残留農薬値は、ダイアジノンが検出限界値の０．０１ｐｐｍ未満であり、ペルメトリンが検出限界値の０．０２ｐｐｍ未満であることがわかる。一方、比較例１においては、梨の果実２０から０．０１ｐｐｍのダイアジノンが検出されており、０．１８ｐｐｍのペルメトリンが検出されている。また、比較例２においては、梨の果実２０から０．０１ｐｐｍのダイアジノンが検出されており、０．１９ｐｐｍのペルメトリンが検出されている。
【００３０】
このように、果実袋１の上部領域９及び下縁領域１０にのみ害虫防除剤を塗布した実施例１及び実施例２においては、果実袋１０の全面にペルメトリン及びダイアジノンといった害虫防除剤を塗布した比較例１及び比較例２と比べて、残留農薬値が格段に低いことがわかる。したがって、本実施形態の果実袋１を用いると、従来よりも残留農薬値の低い安全な果実２０を生産することができる。また、害虫防除剤を塗布する部分を上部領域９及び下縁領域１０に限定することで、害虫防除剤の使用量を減らすこともできる。。
【産業上の利用可能性】
【００３１】
以上のように、本発明に係る果実袋１は、例えば二十世紀梨等の果実２０の栽培に用いる果実袋１に好適に適用できる。
【図面の簡単な説明】
【００３２】
【図１】本実施形態の果実袋の正面図である。
【図２】本実施形態の果実袋の展開図である。
【図３】本実施形態の果実袋を果実に取付けた例を示す図である。
【図４】本実施形態の果実袋を製造する際に、果実袋原紙に害虫防除剤を塗布した状態を示す図である。
【図５】果実袋の原紙を果実袋の外袋を展開した形状に裁断する状態を説明する図である。
【符号の説明】
【００３３】
１    果実袋
４    上縁
５    袋底
６    水抜き穴
９    上部領域
１０  下縁領域
１１  果実包装領域
２０  果実
２１  果梗
【図１】
2010029085.tif 000005
【図２】
2010029085.tif 000006
【図３】
2010029085.tif 000007
【図４】
2010029085.tif 000008
【図５】
2010029085.tif 000009